(57)【要約】      （修正有）【課題】建築物の内装工事などで使用する石膏ボードなどの各種建材用ボードの面取りなどの加工において、刃の突出量を調節するときに片手でも簡便に操作することができ、特定の部材を鉋から取り外さずに調節することができる、刃の突出量を調整する機構を備えた鉋を提供する。【解決手段】底面側の一部が開口した刃口１２及び上面１ｂの長手方向に設けられた長孔１３を有する鉋台１と、前記鉋台１の上面１ｂに前記刃口１２から突出して固設される刃体３と、前記長孔１３と摺動する突起部を有し前記刃体３を載置するスライド部５と、前記スライド部５と係合し前記鉋台１の上面で移動可能に設けられた調節部６とを備え、前記調節部６の移動により前記刃体３が、前記刃口１２より突出する量を調節。【選択図】図８
2015189112.tif 000002
【特許請求の範囲】
【請求項１】
底面（１ａ）側の一部が開口した刃口（１２）及び上面（１ｂ）の長手方向に設けられた長孔（１３）を有する鉋台（１）と、
前記鉋台（１）の上面（１ｂ）に前記刃口（１２）から突出して固設される刃体（３）と、
前記長孔（１）と摺動する突起部（５１）を有し前記刃体（３）を載置するスライド部（５）と、
前記スライド部（５）と係合し前記鉋台（１）の上面で移動可能に設けられた調節部（６）とを備え、
前記調節部（６）の移動により前記刃体（３）が、前記刃口（１２）より突出する量を調節することを特徴とする鉋。
【請求項２】
前記調節部（６）が、前記鉋台（１）の上面で回動自在に設けられていることを特徴とする請求項１に記載の鉋。
【請求項３】
前記鉋台（１）の上面（１ｂ）に、前記刃体（３）を前記鉋台（１）の側面方向に挿通可能な挿通孔（１４１）を有する刃体押え部（１４）が覆設されていることを特徴とする請求項１又は請求項２に記載の鉋。
【発明の詳細な説明】
【技術分野】
【０００１】
本発明は、建築物の内装工事などで使用する石膏ボードなどの各種建材用ボードの面取りなどの加工時に使用するための工具に関する。
【背景技術】
【０００２】
従来、建築物の内装工事などで使用する石膏ボードなどの各種建材用ボードの加工に際し、その建材用ボートの各辺を面取りするために鉋などの工具が用いられている。
【０００３】
例えば、特許文献１には、前面に被加工ボードの縁部を当接可能な案内溝１１１が形成されると共に背面に鉋身装着座部１ａが設けられ案内溝１１１の一部が鉋身装着座部１ａに開口した刃口１０を有する鉋台１と、この鉋台１の背面に開閉可能に取り付けられ固定可能なカバー２と、刃口１０を介して案内溝内１１１へ刃３ａが突出した状態で、鉋身装着座部１ａとカバー２の内面に設けられた鉋身押さえ２３との間に着脱可能に挟着される鉋身３と、を備える切削用鉋が開示されている。
【先行技術文献】
【特許文献】
【０００４】
【特許文献１】特開２０１０−４２５７６号公報
【発明の概要】
【発明が解決しようとする課題】
【０００５】
しかしながら、特許文献１に記載の切削用鉋では、刃口から突出する刃の量を調節するためには、刃出しガイド部材という鉋とは別体の部材を調整の度に取り外す必要があるので、片手で操作することが困難であり、さらに、刃出しガイド部材がそれほど大きい部材ではないため手元からすべり落ち、場合によっては紛失するおそれがあった。
【０００６】
そこで、本発明は、上記の問題点に鑑み、建築物の内装工事などで使用する石膏ボードなどの各種建材用ボードの面取りなどの加工において、刃の突出量を調節するときに片手でも簡便で操作することができ、特定の部材を鉋から取り外さずに調節することができる刃の突出量を調整する機構を備えた鉋を提供することを目的とする。
【課題を解決するための手段】
【０００７】
〔１〕すなわち、本発明は、底面（１ａ）側の一部が開口した刃口（１２）及び上面（１ｂ）の長手方向に設けられた長孔（１３）を有する鉋台（１）と、前記鉋台（１）の上面（１ｂ）に前記刃口（１２）から突出して固設される刃体（３）と、前記長孔（１）と摺動する突起部（５１）を有し前記刃体（３）を載置するスライド部（５）と、前記スライド部（５）と係合し前記鉋台（１）の上面で移動可能に設けられた調節部（６）とを備え、前記調節部（６）の移動により前記刃体（３）が、前記刃口（１２）より突出する量を調節することを特徴とする鉋である。
〔２〕そして、前記調節部（６）が、前記鉋台（１）の上面で回動自在に設けられていることを特徴とする前記〔１〕に記載の鉋である。
〔３〕前記鉋台（１）の上面（１ｂ）に、前記刃体（３）を前記鉋台（１）の側面方向に挿通可能な挿通孔（１４１）を有する刃体押え部（１４）が覆設されていることを特徴とする前記〔１〕又は前記〔２〕に記載の鉋である。
【発明の効果】
【０００８】
前記〔１〕に記載の鉋によれば、建築物の内装工事などで使用する石膏ボードなどの各種建材用ボードの面取りなどの加工において、刃の突出量を調節するときに片手でも簡便で操作することができ、特定の部材を鉋から取り外さずに調節することができる。
【０００９】
前記〔２〕に記載の鉋によれば、さらに、調節部（６）をひねるだけで刃の突出量を調節することができるので、鉋台（１）の上面（１ｂ）の限られたスペースを有効に活用することができる。
【００１０】
前記〔３〕に記載の鉋によれば、さらに、刃身が鉋台（１）の上面より上方に動くことを規制するので、特定の大きさで規定された専用の刃身だけではなく、所定の長さで折ることができる市販のカッターナイフなどの替刃を用いて適宜所定の長さに切断して使用することもできる。
【図面の簡単な説明】
【００１１】
【図１】本発明の鉋の一実施例を示す平面図である。
【図２】本発明の鉋の一実施例を示す底面図である。
【図３】本発明の鉋の一実施例を上方から俯瞰する斜視図である。
【図４】本発明の鉋の一実施例を一の下方から俯瞰する斜視図である。
【図５】本発明の鉋の一実施例を他の下方から俯瞰する斜視図である。
【図６】Ａ−Ａ線拡大断面図である。
【図７】本発明の鉋の一実施例の開蓋状態を示す上方から俯瞰する斜視図である。
【図８】本発明の鉋の一実施例の開蓋状態において一部部材を分解した斜視図である。
【図９】本発明の鉋の一実施例の分解斜視図である。
【図１０】本発明の鉋の一実施例の部材を下方から見上げる斜視図である。
【発明を実施するための形態】
【００１２】
以下、本発明に係る鉋に関する実施形態について図面を参照して詳しく説明する。なお、以下に説明する実施形態は、本発明を実施するに好ましい具体例であるから、技術的に種々の限定がなされているが、本発明は、以下の説明において特に発明を限定する旨明記されていない限り、これらの形態に限定されるものではない。また、説明中の上下方向は、図７に示すように、鉋台１の底面１ａ側を下方、上面１ｂ側を上方とする方向である。
【００１３】
図１〜１０は、本発明の鉋の一実施例を示しており、底面１ａ側に加工ボードの縁と当接し得る案内溝１１が形成され、案内溝１１の一部が開口した刃口１２を有する鉋台１と、鉋台１の上面１ｂに開閉可能であり鉋台１とは反対側の面２ｂにヤスリ２１を有する蓋体２と、鉋台１の上面１ｂに刃口１２から突出して固設される刃体３とを備える構成を開示している。
【００１４】
鉋台１は、図１及び図２などに示すように、平面投影形状が略矩形状を有し、長手方向に沿って底面１ａ側に凹状に窪んだ案内溝１１を備えているガイド部１Ａと、蓋体２側にてガイド部１Ａと着設し刃体３を支持する基部１Ｂとからなる。ガイド部１Ａは、石膏ボードなどに対して摺動するため、摩耗しないように石膏ボードなどよりも硬い材料が好ましく、アルミニウム、アルミニウムを含有する合金からなることがより好ましい。基部１Ｂは特に材質が限定されるものでなく、ポリプロピレン、ポリブチレンテレフタレートなどの合成樹脂などを用いられることも可能であり、ガイド部１Ａと同様に金属などの石膏ボードなどよりも硬い材料を用いられることも可能である。また、ガイド部１Ａと基部１Ｂは、それぞれの四隅で螺子により螺着されていることが好ましい。
【００１５】
鉋台１には、蓋体２を枢設する側に鉋台１の長手方向に長く底面１ａと上面１ｂを貫通する略四角形状の刃口１２が開口するよう設けられている。刃体固定部４を介して鉋台１に刃体３を載置したときに、刃先３１が刃口１２から突出し、案内溝１１に当接した加工ボードの縁を切削して面取りを行うことができる。
【００１６】
鉋台１には、上面１ｂの一方側に鉋台１の長手方向に沿って細長い形状の長孔１３が設けられている。長孔１３は、後述すように、スライド部５に設けられた突起部５１と摺動して、刃体３の刃先３１を刃口１２から突出させる量を調節する。なお、長孔１３は、鉋台１の底面１ａと上面１ｂとに亘り必ずしも貫通している必要はなく溝のように形成することもできる。
【００１７】
鉋台１には、上面１ｂの中ほどに、刃体３を鉋台１の側面１ｃ方向に挿通可能な挿通孔１４１を有する略板状の刃体押え部１４が側面１ｃ方向に二つ並んで覆設されている。すなわち、刃体押え部１４は、上面１ｂに略直方体形状に隆起した部材に側面１ｃ方向、換言すれば、短手方向に刃体３を挿通することができる貫通孔を備えた部材である。この刃体押え部１４により、刃身が鉋台１の上面より上方に動くことを規制するので、特定の大きさで規定された専用の刃身だけではなく、所定の長さで切断することができる市販のカッターナイフなどの替刃を用いて適宜所定の長さに切断して使用することもできる。さらには、予備の刃体３を保管するホルダーとしての機能も有している。なお、本実施例において、刃体押え部１４が二つ設けられているが、他の実施形態において、一つ、又は三つ以上の複数設けられていても良い。
【００１８】
鉋台１には、上面１ｂの下端側に、内部が中空で略直方体形状の蓋体固定部１５が設けられている。蓋体固定部１５の内部に蓋体用磁石７を固定し（図６及び図８に示すように、ガイド部１Ａの突起部分で挟持する）、蓋体２としてステンレス鋼などの磁性を有する金属からなる材料を用いることにより、蓋体２を開閉するために、スイッチやボタンなどの作業を行うことなく蓋体２の開閉が片手でも行うことができ作用効率を向上させることができる。
【００１９】
蓋体２は、図３及び図７に示すように、鉋台１の上面１ｂの上端側に開閉可能に枢軸されている。これにより、蓋体２は、鉋台１の上面１ｂ全体を覆うように上下方向に開閉することができる。また、蓋体２の材質としては種々用いることができるが、上述したように、蓋体用磁石７を内包する蓋体固定部１５との関係よりステンレス鋼などの磁性を有する金属であることが好ましい。なお、本実施形態において、蓋体２は、鉋台１の上面１ｂに対して枢軸により上下方向に離間して開閉することができるが、他の実施形態において、蓋体２を鉋台１に枢軸させずに上面１ｂに対して上面１ｂの上端及び下端方向にスライドさせて開閉させる構成とすることもできる。さらに、本実施形態において蓋体２が備えられているが、他の実施形態において蓋体２を備えない形態とすることもできる。
【００２０】
蓋体２の鉋台１と対向する面２ａである裏面とは反対側の面２ｂである表面の大部分には、研磨を行うヤスリ２１が設けられている。ヤスリ２１の目の形状としては、断面形状が半丸、丸、平などであることが好ましい。蓋体２にヤスリ２１が設けられていることにより、石膏ボードなどの各種建材用ボードの切断面を研磨することができる。
【００２１】
蓋体２の表面の両側には、蓋体２の長手方向に沿って、ヤスリ２１が設けられている面に、ヤスリ２１の目の高さよりも高い蓋体壁２２が蓋体２の側面２ｃより延設されている。蓋体壁２２が設けられていることにより、蓋体２を閉じて各種建材用ボードの各辺の面取りを行うときに、使用者は蓋体２の側面２ｃを指で支持すると、指及び掌が蓋体壁２３に当接しヤスリ２１に接触しないため、手を負傷することを防止することができる。
【００２２】
蓋体２の中ほどに、略平行四辺形状の貫通孔である排出口２３が設けられている。この排出口２３が蓋体２を閉じたときに刃体３の上方に位置することにより、蓋体２を閉じて各種建材用ボードの各辺の面取りを行うときに、削りカスが鉋台１と蓋体２との間に溜まらず外部へ排出される。本実施形態において、排出口２３は略平行四辺形状であるが、他の実施形態において刃体３が見える形状であれば略楕円形などの形状とすることができる。
【００２３】
蓋体２の両側面２ｃには、複数の略直方体形状の隆起部２４を備えている。図１〜５などに示すように、蓋体２の一側面には３個の隆起部２４が備えられており、反対側の側面には６個の隆起部２４が備えられている。この隆起部２４により、使用者が蓋体２を閉じて各種建材用ボードの各辺の面取りを行うときに、使用者の指が隆起部２４に掛かるため力を入れやすくなる。本実施形態において、隆起部２４は略直方体形状であるが、他の実施形態において使用者の指が掛かる形状であれば略立方体形状、略楕円柱形、略三日月形状などの形状とすることができ、また、その個数も変更することができる。
【００２４】
刃体３は、長軸方向に刃先３１を有する板状の部材である。刃先３１により各種建材用ボードの各辺を切削し、それらボードの面取りを行うことができる。後述するように、刃体３は、刃体固定具４とスライド部５に挟持され、刃先１３が欠けたり摩耗により思うように削れなくなったりしたときには、新しい刃体３と交換することができる。刃体３は、本発明に係る専用品でなく、所定の長さで折ることができる折る刃式のカッターナイフなどの替刃を用いることができる。なお、折る刃式の市販のカッターナイフの替刃を使用するときには、上述したように、刃体押え部１４により適切な長さに切断して使用することができる。
【００２５】
また、刃体３は、鉋台１の上面１ｂに嵌合される刃体用磁石８の磁力により、スライド部５側に引きつけられスライド部５に載置されている。このため、刃体３を交換するときに刃体固定部４を取り外しても刃体３がスライド部５から落ちることがないので、安全、確実に作業することができる。
【００２６】
刃体固定具４は、図７〜９に示すように、鉋台１の上面１ｂの上方に位置し、スライド部５とで刃体３を挟持する略コの字状の部材である。図８及び図９に示すように、鉋台１の上面１ｂであって、刃口１２の近傍に位置する２つの嵌合突部１６と、図示しない刃体固定具４の裏面に位置する嵌合穴とが嵌合して、刃体固定具４は所定箇所に位置する。また、蓋体２を閉状態にしたときには、蓋体２の裏面で刃体固定具４が脱落することを防ぐ。本実施形態において、刃体固定具４は略コの字形状であるが、他の実施形態において刃口１２を塞がない形状であれば略Ｕ字形状などの形状とすることができる。
【００２７】
スライド部５は、図８及び図９に示すように、鉋台１の上面１ｂに載置され、刃体固定具４とで刃体３を挟持する略コの字状の板部材である。後述するように、スライド部５により、刃体３を刃口１２から突出させる量を調節することができる。そして、スライド部５の上面に刃体３を動かないように載置することができ、刃先３１が刃口１２から突出するように傾斜している窪んだ形状を有している。
【００２８】
図８及び図９に示すように、スライド部５には、鉋台１の長軸方向に沿って長孔１３に摺動する突起部５１が設けられている。突起部５１と長孔１３により、スライド部５に載置されている刃体３を鉋台１の長軸方向に沿って移動させることができる。
【００２９】
また、図９及び図１０に示すように、スライド部５には、調節部６の第一突出片６１と係合する係合孔５２が設けられており、調節部６の回転の動きをスライド部５に伝えることができる。なお、他の実施形態において、本実施形態と逆の態様をもってスライド部５と調節部６が係合することもできる。すなわち、スライド部５に突出片が設けられており、その突出片が調節部６に設けられた穴と係合して調節部６の動きをスライド部５に伝えるようにしてもよい。
【００３０】
調節部６は、図８に示すように、鉋台１の上面１ｂに載置され、スライド部５と係合する中央に膨らみを持つ略棒状の形状を有する部材である。図９及び図１０に示すように、調節部６の中央には固定螺子Ｓを挿通する孔が設けられており、固定螺子Ｓにより基部１Ｂに対して調節部６を回動自在に固定されている。これにより、使用者は、両端を持って指で調節部６を回動することにより、刃口１２から刃体３を突出させる量を適宜調節することができる。なお、調節部６は、本実施形態において鉋台１の上面１ｂで固定螺子Ｓを中心として回動可能に設けられているが、他の実施形態において鉋台１の上面１ｂで鉋台１の長手方向等に直線状に移動可能に設けられていてもよい。
【００３１】
本実施形態では、刃口１２から刃体３を突出させる量を４段階で調節することができる。すなわち、調節部６の中央を挟んで第一突出片６１の反対側に、第一突出片６１と同じ向きに突出する半円球状の第二突出片６２が設けられており、その第二突出片６２が調節部６の回動に伴って鉋台１の上面１ｂに所定の間隔で設けられた４つの窪みとそれぞれ係合することができることにより４段階に調節することができる。
【００３２】
このように、刃体３、スライド部５、調節部６等を備えることによって、使用者が指で調節部６を回動すると、その力が第一突出片６１と係合する係合孔５２を介してスライド部５に伝わり、スライド部５の突起部５１と長孔１３とが摺動することによりスライド部５に載置されている刃体３が鉋台１の長手方向に移動して、刃口１２から刃体３を突出させる量を調節することができる。
【符号の説明】
【００３３】
１・・・鉋台
１Ａ・・ガイド部
１Ｂ・・基部
１１・・案内溝
１２・・刃口
１３・・長孔
１４・・刃体押え部
１４１・挿通孔
１５・・蓋体固定部
１６・・嵌合突部
１ａ・・底面
１ｂ・・上面
１ｃ・・側面
２・・・蓋体
２１・・ヤスリ
２２・・蓋体壁
２３・・排出口
２４・・隆起部
２ａ・・対向する面
２ｂ・・反対側の面
２ｃ・・側面
３・・・刃体
３１・・刃先
４・・・刃体固定部
５・・・スライド部
５１・・突起部
５２・・係合孔
６・・・調節部
６１・・第一突出片
６２・・第二突出片
７・・・蓋体用磁石
８・・・刃体用磁石
Ｓ・・・固定螺子
【図１】
2015189112.tif 000003
【図２】
2015189112.tif 000004
【図３】
2015189112.tif 000005
【図４】
2015189112.tif 000006
【図５】
2015189112.tif 000007
【図６】
2015189112.tif 000008
【図７】
2015189112.tif 000009
【図８】
2015189112.tif 000010
【図９】
2015189112.tif 000011
【図１０】
2015189112.tif 000012